(57)【要約】  【課題】  共通部品によって薄型ディスプレイの底面を支持し、高さを変更可能にするスタンド装置を提供すること。    【解決手段】  スタンド装置２は、断面Ｌ字状で薄型ディスプレイ１の底面を支持する台座４と、台座４を保持するベース６と、ベース６に立設した薄型ディスプレイ１の背面に取付けられる背面取付具７とを備え、台座４は短辺部４ａと長辺部４ｂとからなり、ベース６は台座４の短辺部４ａまたは長辺部４ｂを挿通可能な開口６ａを有している。ベース６の開口に台座４の短辺部４ａまたは長辺部４ｂのいずれか一方を挿通し、挿通した短辺部４ａまたは長辺部４ｂの上面に当たる端面４ｃまたは端面４ｄに、薄型ディスプレイ１の底面を支持させることにより、共通部品である台座４によって簡単に、大画面で重量のある薄型ディスプレイ１を安定に支え、薄型ディスプレイ１の高さを変更可能とした。  【選択図】  図１
2008249924.tif 000002
【特許請求の範囲】
【請求項１】
断面Ｌ字状で薄型ディスプレイの底面を支持する台座と、前記台座を保持し、前記薄型ディスプレイの背面に取付けられる背面取付具を有するベースとを備え、前記台座は短辺部と長辺部とからなり、前記ベースは前記台座の前記短辺部または前記長辺部を挿通可能な開口を有してなり、前記開口に前記短辺部または前記長辺部のいずれか一方を挿通し、挿通した前記短辺部または前記長辺部の上面に前記薄型ディスプレイの底面を支持させることを特徴とするスタンド装置。
【発明の詳細な説明】
【技術分野】
【０００１】
本発明はスタンド装置に係り、液晶ディスプレイ、プラズマディスプレイ等の薄型ディスプレイを支持するスタンド装置の構造に関する。
【背景技術】
【０００２】
従来、液晶ディスプレイ、プラズマディスプレイ等の薄型ディスプレイを支持するスタンド装置は例えば、図６に示すように、薄型ディスプレイ２００の背面を支持するスタンド装置２０１がある。このスタンド装置２０１は、台座部２０２と、台座部２０２から鉛直方向に延出する２本の支柱２０３とを有している。同支柱２０３に薄型ディスプレイ２００の高さを変更するために、高さ方向に複数の孔２０４を有し、これらの孔２０４にネジ２０５が挿通され、薄型ディスプレイ２００の背面を支柱２０３に固定するようになっている（特許文献１参照）。
【０００３】
このスタンド装置２０１では、薄型ディスプレイの大画面化により薄型ディスプレイの重量が重くなると、薄型ディスプレイの背面のみで安定に支えることができなくなる。薄型ディスプレイの背面のみで安定に支えるためには、支柱の強度を強化したり、複雑な支持構造にしたりしなければならない。
【０００４】
このような薄型ディスプレイの背面を支持するスタンド装置の欠点を解決したスタンド装置として、例えば、図７に示すように、薄型ディスプレイ１００の底面を支持するスタンド装置１０１がある。このスタンド装置１０１は、台座部１１０と、同台座部１１０から鉛直方向に延出する２本の支柱１２０と、複数の板状部材１３０とを有している。２本の支柱１２０には薄型ディスプレイ１００と複数の板状部材１３０とを装着するための溝部１２０ｃを有し、この溝部１２０ｃに沿って薄型ディスプレイ１００の下に複数の板状部材１３０を装着するようになっている。薄型ディスプレイ１００の底面を板状部材１３０で支持し、板状部材１３０の枚数を入れ替えることで、薄型ディスプレイ１００の高さを変更可能にしている（特許文献２参照）。
【０００５】
このスタンド装置１０１では、薄型ディスプレイ１００の荷重は板状部材１３０の上面で受けることになり、特許文献１のスタンド装置２０１と比べ、薄型ディスプレイの大画面化により薄型ディスプレイの重量が重くなっても、支柱の強度は比較的弱くてすみ、複雑な支持構造を必要とせず、薄型ディスプレイ１００を安定に支えることができる。
【０００６】
しかし、特許文献２のスタンド装置１０１では、薄型ディスプレイ１００の高さを多段階に変更可能になっている反面、薄型ディスプレイ１００の底面を支持し、支柱１２０の高さに合わせるため、複数の板状部材１３０が別部品として必要となってしまう欠点がある。また、薄型ディスプレイ１００の底面を支持し、薄型ディスプレイ１００の高さの変更には、少なくとも２枚の板状部材１３０が必要となってしまう欠点がある。
【０００７】
ところで、このような薄型ディスプレイにはスピーカーの有無など様々な設置形態がある。例えば、スピーカー無しで薄型ディスプレイのみの設置形態であり、スピーカー有りの場合、映像と音の一体感を得るため、スピーカーを薄型ディスプレイ下部に設置する設置形態等がある。
【０００８】
このような設置形態では、スピーカーの有無によって薄型ディスプレイの高さを変更可能にするため、例えば、スピーカー有りの場合、薄型ディスプレイと所定高さの台座部との間に別部品を挿入し、スピーカーの高さ分だけ、薄型ディスプレイを高くし、薄型ディスプレイの底面を別部品の上面で支持していた。また、スピーカー無しの場合、薄型ディスプレイと台座部との間に別部品を挿入せず、薄型ディスプレイを低くし、薄型ディスプレイの底面を台座部の上面で支持していた。
【０００９】
これらの従来技術によるスタンド装置は、薄型ディスプレイの底面を支持して薄型ディスプレイの荷重を安定に支えるとともに、薄型ディスプレイの高さを変更可能にするため、別部品が必要となってしまう欠点があった。このことから、共通部品によって簡単に大画面で重量のある薄型ディスプレイを安定に支え、薄型ディスプレイの高さが変更可能なスタンド装置の登場が望まれている。
【特許文献１】意匠登録第１２０３３０５号公報（プラズマディスプレイを取り付けた状態を示す参考斜視図（１）、プラズマディスプレイを取り付けた状態を示す参考斜視図（２））
【特許文献２】特開２００３−３１６２８６号公報（第３頁−第４頁、第５図）
【発明の開示】
【発明が解決しようとする課題】
【００１０】
本発明は上記問題点に鑑み、共通部品によって薄型ディスプレイの底面を支持し、高さを変更可能にするスタンド装置を提供することを目的とする。
【課題を解決するための手段】
【００１１】
本発明は上記課題を解決するため、請求項１記載の発明は、断面Ｌ字状で薄型ディスプレイの底面を支持する台座と、前記台座を保持し、前記薄型ディスプレイの背面に取付けられる背面取付具を有するベースとを備え、前記台座は短辺部と長辺部とからなり、前記ベースは前記台座の前記短辺部または前記長辺部を挿通可能な開口を有してなり、前記開口に前記短辺部または前記長辺部のいずれか一方を挿通し、挿通した前記短辺部または前記長辺部の上面に前記薄型ディスプレイの底面を支持させることを特徴とするスタンド装置の構成となっている。
【発明の効果】
【００１２】
請求項１記載の本発明によれば、断面Ｌ字状で薄型ディスプレイの底面を支持する台座と、前記台座を保持し、前記薄型ディスプレイの背面に取付けられる背面取付具を有するベースとを備え、前記台座は短辺部と長辺部とからなり、前記ベースは前記台座の前記短辺部または前記長辺部を挿通可能な開口を有してなり、前記開口に前記短辺部または前記長辺部のいずれか一方を挿通し、挿通した前記短辺部または前記長辺部の上面に前記薄型ディスプレイの底面を支持させることを特徴とするスタンド装置とすることにより、共通部品である台座によって薄型ディスプレイの底面を支持するとともに、前記台座の長辺部と短辺部とをベースの開口に入れ替えることで、簡単に薄型ディスプレイの高さを変更することができるものである。
【発明を実施するための最良の形態】
【００１３】
以下、本発明の実施の形態を添付図面に基づき詳細に説明する。図１は本発明によるスタンド装置の構成を示す分解斜視図、図２は図１のスタンド装置を組立てた状態を示す外観斜視図、図３は本発明によるスタンド装置に薄型ディスプレイを支持させた状態を示す第一実施例の外観図で（Ａ）はスピーカー無しの場合のスタンド装置に薄型ディスプレイを支持させた状態を示す正面図、（Ｂ）は（Ａ）の状態を示す側面図である。
【００１４】
図４は本発明によるスタンド装置に薄型ディスプレイを支持させた状態を示す第二実施例の外観図で（Ａ）はスピーカー有りの場合のスタンド装置に薄型ディスプレイを支持させた状態を示す正面図、（Ｂ）は（Ａ）の状態を示す側面図、図５は図３及び図４のスタンド装置に薄型ディスプレイを支持させた状態を示す断面図で（Ａ）は図３（Ａ）のＡ−Ａ’断面図、（Ｂ）は図４（Ａ）のＢ−Ｂ’断面図である。
【００１５】
実施例１に関わる本発明のスタンド装置の構成について具体的に説明する。図１及び図２に示すように、スタンド装置２は、断面Ｌ字状で後述する薄型ディスプレイ１の底面を支持する台座４と、この台座４を保持するベース６と、このベース６に取付けられ、後述する薄型ディスプレイの背面に取付けられる背面取付具７と、ベース６の底部に取付けられるベース用底板８とを有している。台座４は、短辺部４ａと長辺部４ｂとからなり、短辺部４ａの長さａは長辺部４ｂの長さｂよりも短くなっている。ベース６は、台座４の短辺部４ａまたは長辺部４ｂを挿通可能な開口６ａを有している。ベース６は、台座４の短辺部４ａまたは長辺部４ｂを収容するための開口６ａに連なる収容部６ｄを有している。ベース６の開口６ａは台座４の横幅ｃに相当する横幅ｃ’を有し、ベース６の収容部６ｄは台座４の長辺部４ｂの長さｂと、台座４の横幅ｃとに相当する収容空間を形成している。
【００１６】
台座４は、ベース６の開口６ａに、台座４の短辺部４ａを挿通し、挿通した台座４の短辺部４ａの上面に当たる端面４ｃが上面になるとともに、ベース６の収容部６ｄに、台座４の長辺部４ｂが収容されるようになっている。ベース用底板８は、同ベース用底板８に形成されたネジ孔にネジ１１を挿通し、挿通したネジ１１を、図示を省略したベース６の底部に形成されたネジ孔に挿通することにより、ベース６に固定される。背面取付具７は、ベース６の開口６ａに近接した位置に形成されたネジ孔に挿通したネジ９によって、台座４の短辺部４ａの側面に当接し、ベース６に立設するように取付けられる。なお、背面取付具７は、ベース６の開口６ａに近接した位置に、ベース６に一体に立設するように形成してもよい。
【００１７】
図１及び図２に示すスタンド装置２では、台座４は、ベース６の開口６ａに、台座４の短辺部４ａを挿通する例となっているが、台座４は、ベース６の開口６ａに、台座４の長辺部４ｂを挿通することも可能である。この場合、挿通した台座４の長辺部４ｂの上面に当たる端面４ｄが上面になり、ベース６の収容部６ｄに、台座４の短辺部４ａが収容されるようになる。そして、背面取付具７は、台座４の長辺部４ｂの側面に当接するようになる。
【００１８】
以上説明してきたスタンド装置２を図３乃至図５を用いて薄型ディスプレイ１の設置形態別に具体的に説明する。図３（Ａ）、図３（Ｂ）及び図５（Ａ）は、スピーカー無しの場合で、広告や宣伝等の各種情報を表示するモニタ用に、液晶ディスプレイ、プラズマディスプレイ等の大画面で重量のある薄型ディスプレイ１の底面を支持させるようにしたスタンド装置２を示している。
【００１９】
図３（Ａ）及び図３（Ｂ）に示すように、スタンド装置２の台座４は、薄型ディスプレイ１の横幅と同等の横幅を有し、図５（Ａ）に示すように、台座４の短辺部４ａの上面に当たる端面４ｃに薄型ディスプレイ１の底面を支持させるようになっている。そして、台座４は、ベース４の開口６ａに短辺部４ａが挿通され、ベース４の収容部６ｄに長辺部４ｂが収容されている。更に、ベース６は、ベース６の収容部６ｄの前後に延長形成されたベース前側載置部６ｂとベース後側載置部６ｃとを設けている。ベース前側載置部６ｂとベース後側載置部６ｃとのベース６の底部には、ベース用底板８を嵌め込むための凹みが形成されている。そして、ベース前側載置部６ｂ、ベース後側載置部６ｃ及びベース用底板８がそれぞれ、卓上や床等の設置面に当接されている。
【００２０】
背面取付具７は断面が平板コの字形状で、ベース６に対して垂直に立てた状態に固定するためのネジ孔が底面に形成され、このネジ孔とベース６に形成されたネジ孔にネジ９を螺着することにより、ベース６の開口６ａに挿通された短辺部４ａの側面に当接する位置で固定されている。また、背面取付具７には薄型ディスプレイ１の背面に取付けるための取付手段として取付用孔が形成され、この取付用孔にネジ１０を螺着することにより、背面取付具７に薄型ディスプレイ１の背面が取付けられている。
【００２１】
このように、スピーカー無しの場合のスタンド装置２によれば、台座４の短辺部４ａの端面４ｃに薄型ディスプレイ１の底面を支持させるようにしたので、大画面で重量のある薄型ディスプレイ１を安定に支え、かつ、薄型ディスプレイ１の高さを、台座４の短辺部４ａの長さａに相当する高さで、低く設置することができる。また、ベース６のベース前側載置部６ｂ及びベース後側載置部６により、台座４の長辺部４ｂの長さｂ以上の奥行きを延長した構造としているので、卓上や床等の設置面と当接する面積を拡大し、大画面で重量のある薄型ディスプレイをより安定に支えることができる。
【００２２】
また、図４（Ａ）、図４（Ｂ）及び図５（Ｂ）は、スピーカー有りの場合で、テレビ放送やＤＶＤ等の映像を表示するテレビ用に、液晶ディスプレイ、プラズマディスプレイ等の大画面で重量のある薄型ディスプレイ１の底面を支持させるようにしたスタンド装置２を示している。なお、図３（Ａ）、図３（Ｂ）及び図５（Ａ）に基づき説明してきた共通部分の内容については説明を省略する。
【００２３】
スピーカー３が薄型ディスプレイ１の下部でベース６の上面に配置され、図５（Ｂ）に示すように、台座４の長辺部４ｂの上面に当たる端面４ｄに薄型ディスプレイ１の底面を支持させるようになっている。そして、台座４は、ベース４の開口６ａに長辺部４ｂが挿通され、ベース４の収容部６ｄに短辺部４ａが収容されている。また、背面取付具７はベース６の開口６ａに挿通された長辺部４ｂに当接する位置で固定されている。
【００２４】
このように、スピーカ有りの場合のスタンド装置２によれば、台座４の長辺部４ｂの端面４ｄに薄型ディスプレイ１の底面を支持させるようにしたので、大画面で重量のある薄型ディスプレイ１を安定に支え、かつ、薄型ディスプレイ１の高さを、台座４の長辺部４ｂの長さｂに相当する高さで、高く設置し、スピーカー３を配置することができる。
【００２５】
以上説明してきた本発明によるスタンド装置２は、共通部品である台座４の短辺部４ａまたは長辺部４ｂによって、薄型ディスプレイ１の底面を支持して、大画面で重量のある薄型ディスプレイ１を安定に支えるとともに、共通部品である台座４の短辺部４ａまたは長辺部４ｂを入れ替えることで、簡単に薄型ディスプレイ１の高さを変更することができる。
【００２６】
これまで説明してきた本実施例１では、台座４の短辺部４ａ及び長辺部４ｂの横幅の長さが薄型ディスプレイ１の横幅の長さと同等の長さになっているので、薄型ディスプレイ１の底面全体を台座４の短辺部４ａまたは長辺部４ｂの上面全体で、薄型ディスプレイ１の荷重を分散させて支えることができる。また、共通部品である台座４によって、背景技術の欄で説明した別部品の介在により薄型ディスプレイ１の高さを変更するものと比べ、別部品の介在による継ぎ目の境界線をなくすことができ、薄型ディスプレイ１の正面側から見た意匠性を向上することができる。
【００２７】
これまで説明してきた本実施例１では、図１及び図２に示すように、ベース６の開口６ａに、ベース６の収容部６ｄのあるベース６の底部から台座４の短辺部４ａまたは長辺部４ｂを挿通するようにしているが、これに限定されるものではなく、実施例２として図示しないが、ベース６の開口６ａがベース６の一方の側部まで開放され、ベース６の底部側をベース用底板８を一体形成するように閉塞し、ベース６の側部を開放した収容部６ｄとすることで、ベース６の開口６ａに、ベース６の側部から台座４の短辺部４ａまたは長辺部４ｂをスライドするようにしてもよい。
【００２８】
また、ベース６に立設された背面取付具７は、ベース６の横方向に間隔を置いて２個の背面取付具７を固定または一体形成するようにしているが、これに限定されるものではなく、１個の背面取付具７を固定または一体形成するようにしてもよい。更に、台座４は、薄型ディスプレイ１の横幅と同等の横幅になっているが、これに限定されるものではなく、大画面で重量のある薄型ディスプレイ１を安定に支えることができる範囲であれば、台座４は、薄型ディスプレイ１の横幅より長い横幅であっても、短い横幅であってもよい。
【図面の簡単な説明】
【００２９】
【図１】本発明によるスタンド装置の構成を示す分解斜視図である。
【図２】図１のスタンド装置を組立てた状態を示す外観斜視図である。
【図３】本発明によるスタンド装置に薄型ディスプレイを支持させた状態を示す第一実施例の外観図で（Ａ）はスピーカー無しの場合のスタンド装置に薄型ディスプレイを支持させた状態を示す正面図、（Ｂ）は（Ａ）の状態を示す側面図である。
【図４】本発明によるスタンド装置に薄型ディスプレイを支持させた状態を示す第二実施例の外観図で（Ａ）はスピーカー有りの場合のスタンド装置に薄型ディスプレイを支持させた状態を示す正面図、（Ｂ）は（Ａ）の状態を示す側面図である。
【図５】図３及び図４のスタンド装置に薄型ディスプレイを支持させた状態を示す断面図で（Ａ）は図３（Ａ）のＡ−Ａ’断面図、（Ｂ）は図４（Ａ）のＢ−Ｂ’断面図である。
【図６】従来によるスタンド装置に薄型ディスプレイを支持させた状態を示す第一実施例の外観図で（Ａ）は正面斜視図、（Ｂ）は背面斜視図である。
【図７】従来によるスタンド装置に薄型ディスプレイを組立てる状態を示す第二実施例の分解斜視図である。
【符号の説明】
【００３０】
１  薄型ディスプレイ
２  スタンド装置
３  スピーカー
４  台座
４ａ  短辺部
４ｂ  長辺部
４ｃ  短辺部の端面
４ｄ  長辺部の端面
ａ  短辺部の長さ
ｂ  長辺部の長さ
ｃ  台座の横幅
６  ベース
６ａ  開口
６ｂ  ベース前側載置部
６ｃ  ベース後側載置部
６ｄ  収容部
ｃ’  開口の横幅
７  背面取付具
８  ベース用底板
９  ネジ
１０  ネジ
１１  ネジ
【図１】
2008249924.tif 000003
【図２】
2008249924.tif 000004
【図３】
2008249924.tif 000005
【図４】
2008249924.tif 000006
【図５】
2008249924.tif 000007
【図６】
2008249924.tif 000008
【図７】
2008249924.tif 000009